(57)【要約】【課題】挿入体の一側への変位を制限する。【解決手段】バックル装置１０では、アッパカバー１２Ａの突出部２６Ａの上面がバックルボデー５４の開放孔６２の上面に当接されている。このため、アッパカバー１２Ａに上側への変位力が作用される場合でも、開放孔６２の上面が突出部２６Ａの上面の上側への変位を制限することで、アッパカバー１２Ａのバックルボデー５４に対する上側への変位を制限できる。【選択図】図２
2020099529.tif 000002
【特許請求の範囲】
【請求項１】
被制限部が設けられ、ウェビングに設けられるタングが一側から挿入される挿入体と、
前記挿入体内に設けられ、前記被制限部の一側への変位を制限可能にされる制限部が設けられる支持体と、
前記支持体に回動可能に支持され、前記タングに係合されることで前記ウェビングが乗員に装着される係合体と、
を備えるバックル装置。
【請求項２】
前記支持体に設けられ、前記係合体を回動可能に支持すると共に、前記被制限部が被覆する支持部を備える請求項１記載のバックル装置。
【請求項３】
前記被制限部に設けられ、前記被制限部の前記制限部とは反対側に延伸される延伸部を備える請求項１又は請求項２記載のバックル装置。
【請求項４】
前記支持体が前記延伸部の変位を制限可能にされる請求項３記載のバックル装置。
【発明の詳細な説明】
【技術分野】
【０００１】
本発明は、タングが挿入体に一側から挿入されるバックル装置に関する。
【背景技術】
【０００２】
下記特許文献１に記載のバックル装置では、カバー内にバックルボデーが設けられると共に、バックルボデーにロックプレートが回動可能に支持されており、ウェビングのタングプレートがカバー内に上側から挿入されて、タングプレートにロックプレートが係合されることで、ウェビングが乗員に装着される。
【０００３】
ここで、このようなバックル装置では、カバーに上側への変位力が作用される場合がある。
【先行技術文献】
【特許文献】
【０００４】
【特許文献１】特開２０１３−１４１９２５号公報
【発明の概要】
【発明が解決しようとする課題】
【０００５】
本発明は、上記事実を考慮し、挿入体の一側への変位を制限できるバックル装置を得ることが目的である。
【課題を解決するための手段】
【０００６】
本発明の第１態様のバックル装置は、被制限部が設けられ、ウェビングに設けられるタングが一側から挿入される挿入体と、前記挿入体内に設けられ、前記被制限部の一側への変位を制限可能にされる制限部が設けられる支持体と、前記支持体に回動可能に支持され、前記タングに係合されることで前記ウェビングが乗員に装着される係合体と、を備える。
【０００７】
本発明の第２態様のバックル装置は、本発明の第１態様のバックル装置において、前記支持体に設けられ、前記係合体を回動可能に支持すると共に、前記被制限部が被覆する支持部を備える。
【０００８】
本発明の第３態様のバックル装置は、本発明の第１態様又は第２態様のバックル装置において、前記被制限部に設けられ、前記被制限部の前記制限部とは反対側に延伸される延伸部を備える。
【０００９】
本発明の第４態様のバックル装置は、本発明の第３態様のバックル装置において、前記支持体が前記延伸部の変位を制限可能にされる。
【発明の効果】
【００１０】
本発明の第１態様のバックル装置では、挿入体内に支持体が設けられると共に、支持体に係合体が回動可能に支持されており、ウェビングのタングが挿入体に一側から挿入されて、タングに係合体が係合されることで、ウェビングが乗員に装着される。
【００１１】
ここで、挿入体の被制限部の一側への変位を支持体の制限部が制限可能にされる。このため、挿入体の一側への変位を制限できる。
【００１２】
本発明の第２態様のバックル装置では、支持体の支持部が係合体を回動可能に支持する。
【００１３】
ここで、被制限部が支持部を被覆する。このため、支持部への異物の侵入を抑制できる。
【００１４】
本発明の第３態様のバックル装置では、被制限部の延伸部が被制限部の制限部とは反対側に延伸される。このため、被制限部の強度を高くできる。
【００１５】
本発明の第４態様のバックル装置では、支持体が延伸部の変位を制限可能にされる。このため、延伸部の変位による挿入体の変位を制限できる。
【図面の簡単な説明】
【００１６】
【図１】本発明の第１実施形態に係るバックル装置及びタングプレートを示す上斜め左方から見た分解斜視図である。
【図２】（Ａ）及び（Ｂ）は、本発明の第１実施形態に係るバックル装置及びタングプレートを示す左方から見た断面図であり、（Ａ）は、バックル装置のタングプレート非装着状態を示し、（Ｂ）は、バックル装置のタングプレート装着状態を示している。
【図３】本発明の第１実施形態に係るバックル装置のアッパカバーを示す裏側かつ上側から見た斜視図である。
【図４】本発明の第１実施形態に係るバックル装置のロアカバー等を示す下斜め左方から見た斜視図である。
【図５】（Ａ）及び（Ｂ）は、本発明の第１実施形態に係るバックル装置を示す下方から見た断面図であり、（Ａ）は、バックル装置の下端における下方から見た断面図であり、（Ｂ）は、バックル装置の下端近傍における下方から見た断面図である。
【図６】（Ａ）及び（Ｂ）は、本発明の第２実施形態に係るバックル装置を示す図であり、（Ａ）は、下斜め左方から見た斜視図であり、（Ｂ）は、バックル装置の下端近傍における上方から見た断面図である。
【発明を実施するための形態】
【００１７】
［第１実施形態］
図１には、本発明の第１実施形態に係るバックル装置１０が上斜め左方から見た分解斜視図にて示されており、図２（Ａ）には、バックル装置１０が左方から見た断面図にて示されている。なお、図面では、バックル装置１０の上方を矢印ＵＰで示し、バックル装置１０の表側（厚さ方向一方）を矢印ＳＦで示し、バックル装置１０の左方を矢印ＬＨで示している。
【００１８】
本実施形態に係るバックル装置１０は、車両のシート（例えばシートクッション、図示省略）に設置されており、シートには、車両の乗員が着座可能にされている。シートの弾性を有する部分には、設置凹部が形成されており、設置凹部は、車両上側に開放されている。バックル装置１０は、設置凹部に車両上側から挿入されており、バックル装置１０の上方は、車両上側に向けられている。
【００１９】
図１及び図２（Ａ）に示す如く、バックル装置１０には、挿入体としての樹脂製で略直方体形箱状のカバー１２が設けられている。カバー１２は、表側のアッパカバー１２Ａと裏側のロアカバー１２Ｂとが組付けられて構成されており、アッパカバー１２Ａは、カバー１２の上端部及び上端部以外の表側部分を構成すると共に、ロアカバー１２Ｂは、カバー１２の上端部以外の裏側部分を構成している。アッパカバー１２Ａとロアカバー１２Ｂとが組付けられる際には、アッパカバー１２Ａの上端部の裏側端部がロアカバー１２Ｂの裏側端部の上側に係合された状態で、アッパカバー１２Ａがロアカバー１２Ｂに対し下側かつ裏側に回動されて、アッパカバー１２Ａがロアカバー１２Ｂに嵌合される。
【００２０】
カバー１２の上端には、タング挿入口１４が形成されており、タング挿入口１４には、上側（一側）から、タングとしてのタングプレート１６が挿入可能にされている。タングプレート１６の先端部には、矩形平板状の挿入部１６Ａが設けられており、タングプレート１６は、挿入部１６Ａにおいてタング挿入口１４に挿入可能にされると共に、挿入部１６Ａには、矩形状の係合孔１８が貫通形成されている。タングプレート１６の基端部には、長尺帯状のウェビング２０が移動可能に貫通されており、ウェビング２０は、車両に設置されている。
【００２１】
アッパカバー１２Ａの表壁の下側部分は、傾斜部としての傾斜壁１２Ｃにされており、傾斜壁１２Ｃは、下側へ向かうに従い裏側へ向かう方向に傾斜されている。
【００２２】
アッパカバー１２Ａの左壁及び右壁の裏側端には、下端近傍において、略矩形柱状の係合凸部２２（図３及び図５（Ｂ）参照）が一体形成されており、係合凸部２２は、アッパカバー１２Ａの左右方向内側に突出されている。係合凸部２２は、上下方向に延伸されており、係合凸部２２の表側面は、表裏方向に垂直に配置されている。アッパカバー１２Ａの左壁及び右壁には、係合凸部２２の表側において、断面台形状の係合凹部２４（図３及び図５（Ｂ）参照）が形成されており、係合凹部２４は、上下方向に延伸されると共に、裏側面が係合凸部２２の表側面によって構成されている。係合凹部２４は、アッパカバー１２Ａの左右方向内側に開放されており、係合凹部２４の表側面は、アッパカバー１２Ａの左右方向内側へ向かうに従い表側へ向かう方向に傾斜されている。
【００２３】
図３に詳細に示す如く、アッパカバー１２Ａの傾斜壁１２Ｃには、左部及び右部において、被制限部としての略台形板状の制限板２６が一体形成されており、制限板２６は、裏側に突出されている。制限板２６は、左右方向に垂直に配置されており、制限板２６の上面は、上下方向に垂直に配置されている。制限板２６の上端部には、略台形板状の突出部２６Ａが形成されており、突出部２６Ａは、裏側に突出されている。突出部２６Ａの上面は、上下方向に垂直に配置されており、突出部２６Ａの裏側面は、表裏方向に垂直に配置されている。突出部２６Ａの裏側かつ上側の角部には、平面状の角面２６Ｂが形成されており、角面２６Ｂは、下側へ向かうに従い裏側へ向かう方向に傾斜されている。制限板２６の突出部２６Ａより下側部分は、延伸部２６Ｃにされており、延伸部２６Ｃは、上下方向に延伸されて、裏側面が表裏方向に垂直に配置されると共に、下端がアッパカバー１２Ａの下壁と一体にされている。
【００２４】
アッパカバー１２Ａの傾斜壁１２Ｃには、左端部及び右端部において、補強部としての略台形板状の下板２８が一体形成されており、下板２８は、裏側に突出されている。下板２８は、上下方向に垂直に配置されており、左側及び右側の下板２８は、それぞれアッパカバー１２Ａの左壁及び右壁と一体にされている。左側の下板２８は、左側の制限板２６の上端と一体にされると共に、上面が左側の制限板２６の上面と面一にされており、右側の下板２８は、右側の制限板２６の上端と一体にされると共に、上面が右側の制限板２６の上面と面一にされている。また、下板２８の裏側面は、制限板２６の角面２６Ｂの表側に配置されている。
【００２５】
アッパカバー１２Ａの傾斜壁１２Ｃには、一対の制限板２６間において、補強部としての矩形板状の中板３０が一体形成されており、中板３０は、裏側に突出されている。中板３０は、上下方向に垂直に配置されており、中板３０は、各制限板２６の上端と一体にされると共に、上面が各制限板２６の上面と面一にされている。また、中板３０の裏側面は、制限板２６の突出部２６Ａより表側に配置されている。
【００２６】
アッパカバー１２Ａの傾斜壁１２Ｃには、各下板２８の上側において、補強部としての略台形板状の上板３２が一体形成されており、上板３２は、裏側に突出されている。上板３２は、上下方向に垂直に配置されており、左側及び右側の上板３２は、それぞれアッパカバー１２Ａの左壁及び右壁と一体にされている。左側の上板３２の右面及び裏側面は、それぞれ左側の下板２８の右面及び裏側面と面一の位置に配置されており、右側の上板３２の左面及び裏側面は、それぞれ右側の下板２８の左面及び裏側面と面一の位置に配置されている。
【００２７】
アッパカバー１２Ａの傾斜壁１２Ｃには、左端部及び右端部において、補強部としての矩形板状の中間板３４が一体形成されており、中間板３４は、裏側に突出されている。中間板３４は、左右方向に垂直に配置されており、左側の中間板３４は、左側における下板２８の右端部及び上板３２の右端部と一体にされると共に、右側の中間板３４は、右側における下板２８の左端部及び上板３２の左端部と一体にされている。また、中間板３４の裏側面は、下板２８及び上板３２の裏側面と面一にされている。
【００２８】
制限板２６は、下板２８、中板３０、上板３２及び中間板３４によって補強されている。
【００２９】
アッパカバー１２Ａの下壁には、裏側部分の左右方向中間部において、略矩形状の表孔３６Ａが貫通形成されており、表孔３６Ａは、裏側に開放されている。アッパカバー１２Ａの下壁には、表孔３６Ａの表側部分の左端部及び右端部において、変位部としての略台形板状の変位壁３８が形成されており、変位壁３８は、上下方向に垂直に配置されている。左側の変位壁３８は、表孔３６Ａの表側面及び左面と一体にされると共に、左側の制限板２６の下側かつ裏側に配置されており、右側の変位壁３８は、表孔３６Ａの表側面及び右面と一体にされると共に、右側の制限板２６の下側かつ裏側に配置されている。
【００３０】
図４に詳細に示す如く、ロアカバー１２Ｂの裏壁の下端部から下壁には、左右方向中間部において、略矩形状の裏孔３６Ｂが貫通形成されており、裏孔３６Ｂは、ロアカバー１２Ｂの下壁から表側に開放されている。裏孔３６Ｂは、アッパカバー１２Ａの表孔３６Ａに連通されており、表孔３６Ａと裏孔３６Ｂとは、連通孔３６を構成している。裏孔３６Ｂの裏側部分の左面及び右面は、平板状の当接板４０（図５（Ａ）参照）が構成しており、当接板４０は、ロアカバー１２Ｂの裏壁と一体にされている。当接板４０は、ロアカバー１２Ｂの裏壁から表側に突出されており、当接板４０は、左右方向に垂直に配置されている。ロアカバー１２Ｂの下端部には、各当接板４０のロアカバー１２Ｂ左右方向外側において、矩形状の挿通孔４２が形成されており、挿通孔４２は、ロアカバー１２Ｂの下壁を貫通して、下側に開放されている。
【００３１】
ロアカバー１２Ｂの下端近傍の左端部及び右端部には、それぞれ左係合爪４４（図５（Ｂ）参照）及び右係合爪４６が形成されており、左係合爪４４及び右係合爪４６は、それぞれロアカバー１２Ｂの左壁及び右壁と一体にされている。左係合爪４４及び右係合爪４６は、ロアカバー１２Ｂの裏壁と一体にされており、左係合爪４４及び右係合爪４６は、ロアカバー１２Ｂから表側に突出されている。
【００３２】
左係合爪４４の左壁と右係合爪４６の右壁との表側端部には、台形柱状の係合突起４８が一体形成されており、係合突起４８は、表側面がロアカバー１２Ｂの左右方向外側へ向かうに従い裏側へ向かう方向に傾斜されると共に、裏側面が表裏方向に垂直に配置されている。左係合爪４４の左壁と右係合爪４６の右壁とには、係合突起４８の裏側において、断面矩形状の係合溝５０が形成されており、係合溝５０は、ロアカバー１２Ｂの左右方向外側に開放されると共に、表側面が係合突起４８の裏側面によって構成されている。
【００３３】
左係合爪４４の係合突起４８及び係合溝５０には、それぞれアッパカバー１２Ａの左側の係合凹部２４及び係合凸部２２が係合（嵌合）されると共に、右係合爪４６の係合突起４８及び係合溝５０には、それぞれアッパカバー１２Ａの右側の係合凹部２４及び係合凸部２２が係合（嵌合）されており、これにより、各係合凸部２２の各係合突起４８に対する表側への移動が制限されて、アッパカバー１２Ａのロアカバー１２Ｂに対する表側への離脱が制限されている。
【００３４】
左係合爪４４には、矩形板状の挟持板４４Ａが複数（本実施形態では３個）形成されており、複数の挟持板４４Ａは、それぞれ左係合爪４４の左壁から右側に突出されると共に、上下方向において互いに離間されている。挟持板４４Ａは、上下方向に垂直に配置されており、挟持板４４Ａは、ロアカバー１２Ｂの裏壁と一体にされている。
【００３５】
右係合爪４６には、矩形板状の連結板４６Ａが複数（本実施形態では３個）形成されており、複数の連結板４６Ａは、それぞれ右係合爪４６の右壁から左側に突出されると共に、上下方向において互いに離間されている。連結板４６Ａは、上下方向に垂直に配置されており、連結板４６Ａは、ロアカバー１２Ｂの裏壁と一体にされている。連結板４６Ａの左側には、矩形板状の接続板４６Ｂが一体形成されており、接続板４６Ｂは、複数の連結板４６Ａの左端を接続している。接続板４６Ｂは、左右方向に垂直に配置されており、接続板４６Ｂは、ロアカバー１２Ｂの裏壁と一体にされている。連結板４６Ａの表側部の左側には、断面Ｕ字形状の規制枠４６Ｃが一体形成されており、規制枠４６Ｃは、左側に突出されている。規制枠４６Ｃは、上下方向に延伸されており、規制枠４６Ｃの左面は、ロアカバー１２Ｂの右側の当接板４０の左面と面一の位置に配置されている。
【００３６】
ロアカバー１２Ｂの左側かつ下側の端部には、表側視略Ｌ字状の規制突起５２（図５（Ａ）参照）が形成されている。規制突起５２の右部以外の下側部分は、屈曲矩形柱状の延長部５２Ａにされており、延長部５２Ａは、下側部分がロアカバー１２Ｂの下壁の表側において左右方向に延伸されると共に、左側部分がロアカバー１２Ｂの左壁の表側において上下方向に延伸されている。規制突起５２の右部以外の上側部分は、略矩形板状の連絡部５２Ｂにされており、連絡部５２Ｂは、左側へ向かうに従い上側へ向かう方向に延伸されると共に、ロアカバー１２Ｂの裏壁と一体にされている。連絡部５２Ｂの左端（上端）は、左係合爪４４の下端（下側の挟持板４４Ａ）と一体にされており、連絡部５２Ｂの右端（下端）の表側部は、延長部５２Ａの右端と一体にされている。
【００３７】
規制突起５２の右部は、規制凸部５２Ｃにされており、規制凸部５２Ｃは、延長部５２Ａの右端と連絡部５２Ｂの右端の表側部とから右側に延出されている。規制凸部５２Ｃは、ロアカバー１２Ｂの左側の挿通孔４２の表側に配置されており、規制凸部５２Ｃの右面は、ロアカバー１２Ｂの左側の当接板４０の右面と面一の位置に配置されている。規制凸部５２Ｃの裏側部には、断面矩形状の規制凹部５２Ｄが形成されており、規制凹部５２Ｄは、裏側に開放されている。規制凹部５２Ｄは、上下方向に延伸されて、上側及び下側に開放されており、規制凹部５２Ｄは、左面が左側の挿通孔４２の左面と面一にされる共に、右面が左側の挿通孔４２の右面と面一の位置に配置されている。
【００３８】
カバー１２内には、支持体としての金属製で断面Ｕ字形板状のバックルボデー５４（図４参照）が配置されており、バックルボデー５４は、左右方向中央面に対して対称な形状にされている。バックルボデー５４は、ロアカバー１２Ｂに固定されており、バックルボデー５４内は、表側に開放されている。バックルボデー５４の裏側部分は、長尺平板状の底板５４Ａにされており、底板５４Ａは、表裏方向に垂直に配置されている。バックルボデー５４の左側部分及び右側部分は、長尺平板状の側板５４Ｂにされており、側板５４Ｂは、左右方向に垂直に配置されている。バックルボデー５４内は、カバー１２のタング挿入口１４に連通されており、タング挿入口１４に挿入されたタングプレート１６の挿入部１６Ａは、バックルボデー５４内に上側から挿入される。
【００３９】
バックルボデー５４の底板５４Ａの下端部には、固定部材としての帯状のベルト５６の先端部が挿通されており、ベルト５６の先端部は、環状に形成されて、底板５４Ａの下端部に固定されている。ベルト５６は、カバー１２の連通孔３６を介してカバー１２の下側に延出されると共に、シートの設置凹部より車両下側部分を貫通しており、ベルト５６の基端部が車体に固定されることで、バックルボデー５４の車両上側への移動が制限されて、バックル装置１０が車両に設置されている。また、底板５４Ａの上下方向中央部には、略矩形状の挿入孔５８が貫通形成されており、挿入孔５８は、上下方向に延伸されている。
【００４０】
バックルボデー５４の左側及び右側の側板５４Ｂは、下部において、それぞれロアカバー１２Ｂの左側及び右側の当接板４０に当接されており、バックルボデー５４の下部は、当接板４０間に左右方向において挟持されている。バックルボデー５４の左側の側板５４Ｂには、ロアカバー１２Ｂの規制突起５２の規制凸部５２Ｃ右面が当接されており（図５（Ａ）参照）、これにより、バックルボデー５４が規制突起５２を介してロアカバー１２Ｂの左係合爪４４の右側への傾倒を規制して、アッパカバー１２Ａの左側の係合凸部２２の左係合爪４４の係合突起４８に対する表側への移動が効果的に制限されている。バックルボデー５４の右側の側板５４Ｂには、ロアカバー１２Ｂの右係合爪４６の規制枠４６Ｃ左面が当接されており、これにより、バックルボデー５４が右係合爪４６の左側への傾倒を規制して、アッパカバー１２Ａの右側の係合凸部２２の右係合爪４６の係合突起４８に対する表側への移動が効果的に制限されている。このため、アッパカバー１２Ａのロアカバー１２Ｂに対する表側への離脱が効果的に制限されている。
【００４１】
各側板５４Ｂの下部には、支持部としての略矩形状の支持孔６０が貫通形成されている。各側板５４Ｂの下部には、支持孔６０の表側において、開放部としての矩形状の開放孔６２が貫通形成されており、開放孔６２は、上側に開放されている。開放孔６２は、支持孔６０に対し上側にずれて配置されており、開放孔６２は、支持孔６０の上側部分を表側に開放させている。開放孔６２の上面は、上下方向に垂直に配置されており、開放孔６２の裏側面は、支持孔６０の上側において、表裏方向に垂直に配置されている。
【００４２】
各側板５４Ｂの下部には、支持孔６０及び開放孔６２の上側において、制限部としての略台形板状の制限壁６４が形成されており、制限壁６４の下側面は、支持孔６０及び開放孔６２の上側の周面（開放孔６２の上面を含む）を構成している。制限壁６４の表側面には、案内面６４Ａが形成されており、案内面６４Ａは、下側へ向かうに従い裏側へ向かう方向に傾斜されている。
【００４３】
開放孔６２には、アッパカバー１２Ａの制限板２６の突出部２６Ａが挿入されており、支持孔６０及び開放孔６２の表側は、突出部２６Ａ及び制限板２６の延伸部２６Ｃ上端によって被覆（閉鎖）されている。側板５４Ｂ（開放孔６２）の左右方向中央面は、制限板２６の左右方向中央面と面一の位置に配置にされており、開放孔６２の上面には、突出部２６Ａの上面が当接（面接触）されると共に、突出部２６Ａの裏側面は、開放孔６２の裏側面に対し僅かに表側に離間されている。アッパカバー１２Ａがロアカバー１２Ｂに対し下側かつ裏側に回動されて、アッパカバー１２Ａとロアカバー１２Ｂとが組付けられる際には、突出部２６Ａの角面２６Ｂが制限壁６４の案内面６４Ａに案内されて、一時的に、アッパカバー１２Ａの制限板２６周囲部分が裏側に変形されつつ、制限板２６が下側に変位されることで、開放孔６２に突出部２６Ａが挿入される。
【００４４】
各側板５４Ｂの下部には、支持孔６０及び開放孔６２の下側において、略矩形板状の変位板６６が形成されており、変位板６６の上側面は、支持孔６０及び開放孔６２の下側の周面を構成している。変位板６６の表側面は、表裏方向に垂直に配置されると共に、変位板６６の下面は、上下方向に垂直に配置されており、変位板６６の下面は、側板５４Ｂの下面に対し上側に配置されている。変位板６６の表側かつ下側の角部には、変位面６６Ａが形成されており、変位面６６Ａは、下側へ向かうに従い裏側へ向かう方向に傾斜されている。
【００４５】
変位板６６の表側面には、アッパカバー１２Ａの制限板２６の延伸部２６Ｃが当接（面接触）されており、アッパカバー１２Ａの変位壁３８の上面は、変位板６６の下面に対し僅かに下側に離間されている。アッパカバー１２Ａがロアカバー１２Ｂに対し下側かつ裏側に回動されて、アッパカバー１２Ａとロアカバー１２Ｂとが組付けられる際には、変位壁３８が変位板６６の変位面６６Ａに案内されて、一時的に、アッパカバー１２Ａの変位壁３８周囲部分が下側に変形されつつ、変位壁３８が下側に変位されることで、変位板６６の下側に変位壁３８が配置される。
【００４６】
バックルボデー５４の底板５４Ａの挿入孔５８には、移動部材としての樹脂製で略板状のイジェクタ６８が係合されており、イジェクタ６８は、挿入孔５８に沿って上下方向にスライド可能にされている。イジェクタ６８の上面には、押圧面６８Ａが形成されており、押圧面６８Ａは、底板５４Ａより表側に配置されている。
【００４７】
イジェクタ６８と挿入孔５８の下端との間には、付勢部材としてのイジェクタスプリング７０（圧縮コイルスプリング）が掛渡されており、イジェクタスプリング７０は、イジェクタ６８を上方へ付勢して上側の排出位置（図２（Ａ）参照）に配置している。バックルボデー５４内に上側からタングプレート１６の挿入部１６Ａが挿入された際には、挿入部１６Ａによってイジェクタ６８の押圧面６８Ａが下方へ押圧されることで、イジェクタ６８が、イジェクタスプリング７０の付勢力に抗して下方にスライドされて、下側の挿入位置（図２（Ｂ）参照）に配置される。
【００４８】
バックルボデー５４内には、イジェクタ６８の表側において、係合体（制限部材）としての金属製で板状のロックプレート７２が配置されており、ロックプレート７２は、左右方向中央面に対して対称な形状にされている。
【００４９】
ロックプレート７２の下端部には、左端部及び右端部において、被支持部としての矩形板状の支持軸７２Ａが一体形成されており、支持軸７２Ａは、ロックプレート７２の左右方向外方に突出されている。支持軸７２Ａは、バックルボデー５４の側板５４Ｂの支持孔６０に挿通されており、ロックプレート７２は、一対の支持軸７２Ａにおいてバックルボデー５４に支持されて、支持軸７２Ａを中心として裏側及び表側に回動可能にされている。
【００５０】
ロックプレート７２の下端部近傍には、左端部及び右端部において、板状の腕部７２Ｂが一体形成されており、腕部７２Ｂは、ロックプレート７２の左右方向外側に突出されると共に、裏側に延出されている。腕部７２Ｂは、バックルボデー５４内に挿入されており、イジェクタ６８が排出位置から下方にスライドされることで、イジェクタ６８によって各腕部７２Ｂが下方に押圧されて、ロックプレート７２が裏側に回動される（図２（Ｂ）参照）。
【００５１】
ロックプレート７２の上端部には、係合部としての略矩形板状の係合片７２Ｃが形成されており、係合片７２Ｃは、裏側へ向かうに従い上方へ向かう方向に延出されている。係合片７２Ｃは、イジェクタ６８の表側面に当接しており、これにより、ロックプレート７２の裏側への回動が阻止されて、ロックプレート７２が表側の解除位置に保持されている。ロックプレート７２が裏側へ回動されて裏側の係合位置に到達した際には、係合片７２Ｃが、タングプレート１６の係合孔１８に挿入（係合）されて、タングプレート１６の上方へのスライドを制限する（図２（Ｂ）参照）。
【００５２】
ロックプレート７２の上端部には、係合片７２Ｃの左右方向両外側において、矩形板状の当接片７２Ｄが形成されており、当接片７２Ｄは、上側に突出されている。
【００５３】
カバー１２内には、ロックプレート７２の表側かつ上側において、柱状のロック部材７４（カム）が設けられており、ロック部材７４は、左右方向に沿って配置されている。ロック部材７４には、円柱状のシャフト７４Ａが貫通されており、シャフト７４Ａは、ロック部材７４の左右方向両外側に突出されている。シャフト７４Ａは、バックルボデー５４の各側板５４Ｂに回転可能に支持されており、これにより、ロック部材７４がバックルボデー５４にシャフト７４Ａを中心として揺動可能に支持されている。
【００５４】
ロック部材７４の表側部分には、略矩形板状の被押圧部７４Ｂが形成されており、被押圧部７４Ｂは、表側に突出されている。ロック部材７４の裏側部分の下面は、当接面７４Ｃにされており、当接面７４Ｃがロックプレート７２の当接片７２Ｄの上面に当接されて、ロック部材７４がアンロック位置に保持されている。ロック部材７４の裏側面は、ロック面７４Ｄにされており、ロック面７４Ｄは、シャフト７４Ａと同軸上の円周面にされている。ロックプレート７２が係合位置に配置された際には、ロック部材７４がロック位置に揺動されて、ロック面７４Ｄがロックプレート７２の当接片７２Ｄの表側面に当接される（図２（Ｂ）参照）。
【００５５】
ロック部材７４の裏側部分の上側には、樹脂製で略Ｕ字形枠状のホルダ７６が取付けられている。ホルダ７６の左右方向中央部には、略矩形板状のスプリングホールド部７６Ａが形成されており、スプリングホールド部７６Ａは、上側に突出されている。
【００５６】
ロック部材７４の上側には、操作部材としての解除ボタン７８が設けられている。解除ボタン７８の下側部分は、バックルボデー５４の各側板５４Ｂに係合されており、解除ボタン７８は、バックルボデー５４に所定範囲で上下方向に移動可能に支持されている。
【００５７】
解除ボタン７８の上側部分には、箱状の操作部７８Ａが設けられており、操作部７８Ａは、アッパカバー１２Ａの上端部の裏側部分との間にカバー１２上端のタング挿入口１４を形成すると共に、内部が下側に開放されている。操作部７８Ａの上面は、カバー１２の上端から上側に露出されており、解除ボタン７８は、操作部７８Ａにおいて、乗員によって下方に押圧操作可能にされている。
【００５８】
解除ボタン７８には、操作部７８Ａの表側かつ下側において、押圧部７８Ｂが形成されており、押圧部７８Ｂは、下側に突出されている。押圧部７８Ｂは、ロック部材７４の被押圧部７４Ｂの上側に配置されており、解除ボタン７８が下方に押圧操作された際には、押圧部７８Ｂによって被押圧部７４Ｂが下方に押圧されて、ロック部材７４がアンロック位置側に揺動される。
【００５９】
解除ボタン７８の操作部７８Ａ上壁とホルダ７６のスプリングホールド部７６Ａとの間には、ロックスプリング８０（圧縮コイルスプリング）が掛渡されており、ロックスプリング８０は、ホルダ７６を介してロック部材７４をロック位置側に付勢している。
【００６０】
図４に詳細に示す如く、ロアカバー１２Ｂ内には、バックルボデー５４の左側において、検出機構としてのバックルスイッチ８２（接点スイッチ）が取付けられている。
【００６１】
バックルスイッチ８２の下部には、挟持部材としての樹脂製で略直方体形箱状の基板ベース８２Ａ（ホルダ）が設けられており、基板ベース８２Ａ内は、左側及び上側に開放されている。基板ベース８２Ａの左側には、ロアカバー１２Ｂの左係合爪４４における複数の挟持板４４Ａが当接されると共に、基板ベース８２Ａの右側には、バックルボデー５４の左側の側板５４Ｂ及びロアカバー１２Ｂの左側の当接板４０が当接されており（図５の（Ａ）及び（Ｂ）参照）、上側の一対の挟持板４４Ａとバックルボデー５４との間には、基板ベース８２Ａが挟持されると共に、下側の挟持板４４Ａとバックルボデー５４との間には、基板ベース８２Ａ及び左側の当接板４０が挟持されている。バックルボデー５４は、基板ベース８２Ａを介して左係合爪４４の右側への傾倒を規制すると共に、基板ベース８２Ａ及び左側の当接板４０を介して左係合爪４４の右側への傾倒を規制しており、これにより、アッパカバー１２Ａの左側の係合凸部２２の左係合爪４４の係合突起４８に対する表側への移動が効果的に制限されて、アッパカバー１２Ａのロアカバー１２Ｂに対する表側への離脱が効果的に制限されている。
【００６２】
基板ベース８２Ａ内には、検出部材としての長尺矩形平板状のスイッチ基板８２Ｂ（ステータ）の下端部が固定されており、スイッチ基板８２Ｂは、基板ベース８２Ａから上方に延出されると共に、左右方向に垂直に配置されている。スイッチ基板８２Ｂの下端部には、一対のハーネス８２Ｃが電気的に接続されており、一対のハーネス８２Ｃは、基板ベース８２Ａから下側に延出されている。一対のハーネス８２Ｃは、ロアカバー１２Ｂの左側の挿通孔４２に挿通されて、ロアカバー１２Ｂの下側に延出されており、スイッチ基板８２Ｂは、一対のハーネス８２Ｃを介して、車両の制御装置（図示省略）に電気的に接続されている。
【００６３】
ロアカバー１２Ｂ内にバックルスイッチ８２が組付けられる場合において、一対のハーネス８２Ｃが左側の挿通孔４２に挿通された際には、一対のハーネス８２Ｃの当該挿通孔４２から表側及び右側への離脱がそれぞれロアカバー１２Ｂにおける規制突起５２（規制凸部５２Ｃ）の規制凹部５２Ｄの表側面（底面）及び当接板４０によって制限される。
【００６４】
スイッチ基板８２Ｂの右側には、連絡部材としての略直方体状のスライド部材８２Ｄ（スライダ）が支持されており、スライド部材８２Ｄは、スイッチ基板８２Ｂに沿って上下方向にスライド可能にされている。スライド部材８２Ｄの右面には、略矩形柱状のボス（図示省略）が一体形成されており、ボスは、右側に延出されて、バックルボデー５４の左側の側板５４Ｂを上下方向にスライド可能に貫通している。ボスは、イジェクタ６８に係合されており、これにより、スライド部材８２Ｄがイジェクタ６８と一体に上下方向にスライド可能にされている。スライド部材８２Ｄは、スイッチ基板８２Ｂの上側の位置に配置されており、カバー１２上端のタング挿入口１４にタングプレート１６の挿入部１６Ａが挿入されて、イジェクタ６８が下方にスライドされる際には、スライド部材８２Ｄが下方にスライドされる。スイッチ基板８２Ｂは、スライド部材８２Ｄの上下方向へのスライド位置を検出可能にされており、スイッチ基板８２Ｂがスライド部材８２Ｄの上下方向へのスライド位置を検出することで、イジェクタ６８の上下方向へのスライド位置が検出されて、カバー１２内からのタングプレート１６の排出及びカバー１２内へのタングプレート１６の挿入が検出される。
【００６５】
次に、本実施形態の作用を説明する。
【００６６】
以上の構成のバックル装置１０は、シートの設置凹部に挿入されており、カバー１２内のバックルボデー５４の車両上側への移動がベルト５６によって制限されている。
【００６７】
タングプレート１６の挿入部１６Ａがカバー１２上端のタング挿入口１４に挿入された際には、挿入部１６Ａによってイジェクタ６８の押圧面６８Ａが下方に押圧されることで、イジェクタ６８が、イジェクタスプリング７０の付勢力に抗して下方にスライドされて、排出位置から挿入位置にスライドされる。このため、イジェクタ６８が、ロックプレート７２の係合片７２Ｃより下方にスライドされて、ロックプレート７２の各腕部７２Ｂを下方に押圧することで、ロックプレート７２が、裏側に回動されて、解除位置から係合位置に回動される。
【００６８】
これにより、係合片７２Ｃが、挿入部１６Ａの係合孔１８に挿入される。また、ロックプレート７２の当接片７２Ｄがロック部材７４の当接面７４Ｃより裏側に回動されて、ロック部材７４がロックスプリング８０の付勢力によりアンロック位置からロック位置に揺動されることで、ロック部材７４のロック面７４Ｄが当接片７２Ｄの表側面に当接されて、ロックプレート７２の係合位置から解除位置への回動が規制される。このため、係合孔１８の下面が係合片７２Ｃに当接されて、係合片７２Ｃがタングプレート１６の上方への移動を制限することで、バックル装置１０にタングプレート１６が係止されて、シートに着座する乗員にウェビング２０が装着される。
【００６９】
解除ボタン７８の操作部７８Ａが下方に押圧操作された際には、解除ボタン７８の押圧部７８Ｂによってロック部材７４の被押圧部７４Ｂが下方に押圧されて、ロック部材７４がロックスプリング８０の付勢力に抗してロック位置からアンロック位置に揺動される。そして、ロック部材７４のロック面７４Ｄがロックプレート７２の当接片７２Ｄより上側に揺動されて、ロック部材７４によるロックプレート７２の回動規制が解除される。このため、イジェクタスプリング７０が付勢力によりイジェクタ６８、タングプレート１６及びロックプレート７２の係合片７２Ｃを上方に移動させて、ロックプレート７２が係合位置から解除位置に回動されることで、係合片７２Ｃがタングプレート１６の挿入部１６Ａの係合孔１８から離脱される。さらに、イジェクタ６８がイジェクタスプリング７０の付勢力により上方に排出位置までスライドされて、イジェクタ６８によって挿入部１６Ａがカバー１２上端のタング挿入口１４から排出されることで、バックル装置１０へのタングプレート１６の係止が解除されて、ウェビング２０の乗員への装着が解除される。
【００７０】
また、バックルスイッチ８２において、スライド部材８２Ｄがイジェクタ６８と一体に上下方向にスライドされると共に、スイッチ基板８２Ｂがスライド部材８２Ｄの上下方向へのスライド位置を検出する。このため、イジェクタ６８の上下方向へのスライド位置が検出されて、カバー１２内へのタングプレート１６の挿入（ウェビング２０の乗員への装着）及びカバー１２内からのタングプレート１６の排出（ウェビング２０の乗員への装着の解除）が検出される。
【００７１】
ここで、カバー１２のアッパカバー１２Ａにおける制限板２６の突出部２６Ａの上面がバックルボデー５４の側板５４Ｂにおける開放孔６２の上面に当接されている。このため、例えば車両の衝突時に、カバー１２が車両のシートとコンソールボックスとの間や格納したシートの間に挟まれ、カバー１２に表裏方向における圧縮力が作用されて、アッパカバー１２Ａの傾斜壁１２Ｃに作用される裏側への圧縮力によってアッパカバー１２Ａに上側への変位力が作用される場合でも、開放孔６２の上面が突出部２６Ａの上面の上側への変位を制限する。これにより、アッパカバー１２Ａのバックルボデー５４及びロアカバー１２Ｂに対する上側への変位を制限でき、アッパカバー１２Ａのロアカバー１２Ｂに対する上側への離脱を制限できる。
【００７２】
さらに、制限板２６の延伸部２６Ｃが下側（制限板２６の開放孔６２上面とは反対側）に延伸されている。このため、制限板２６の上下方向における強度を高くでき、開放孔６２の上面が突出部２６Ａの上面の上側への変位を制限することで、アッパカバー１２Ａのバックルボデー５４及びロアカバー１２Ｂに対する上側への変位を効果的に制限できて、アッパカバー１２Ａのロアカバー１２Ｂに対する上側への離脱を効果的に制限できる。
【００７３】
しかも、制限板２６がアッパカバー１２Ａの下板２８、中板３０、上板３２及び中間板３４によって補強されている。このため、制限板２６の上下方向における強度を一層高くでき、開放孔６２の上面が突出部２６Ａの上面の上側への変位を制限することで、アッパカバー１２Ａのバックルボデー５４及びロアカバー１２Ｂに対する上側への変位を一層効果的に制限できて、アッパカバー１２Ａのロアカバー１２Ｂに対する上側への離脱を一層効果的に制限できる。
【００７４】
さらに、制限板２６の延伸部２６Ｃの裏側面がバックルボデー５４の側板５４Ｂにおける変位板６６の表側面に当接されている。このため、アッパカバー１２Ａに裏側への変位力が作用された場合に、変位板６６の表側面が延伸部２６Ｃの裏側面の裏側への変位を制限でき、アッパカバー１２Ａのバックルボデー５４及びロアカバー１２Ｂに対する裏側への変位を制限できる。
【００７５】
また、バックルボデー５４の側板５４Ｂにおける支持孔６０及び開放孔６２の表側が制限板２６の突出部２６Ａ及び延伸部２６Ｃ前端によって被覆されている。このため、異物が側板５４Ｂの表側から開放孔６２を介して支持孔６０に侵入することを抑制でき、支持孔６０におけるロックプレート７２の支持軸７２Ａの回転が異物によって阻害されることを抑制できて、ロックプレート７２の回動が異物によって阻害されることを抑制できる。
【００７６】
なお、本実施形態では、カバー１２内にバックルスイッチ８２が設けられる。しかしながら、カバー１２内にバックルスイッチ８２が設けられなくてもよい。この場合でも、ロアカバー１２Ｂの規制突起５２の規制凸部５２Ｃ右面がバックルボデー５４の左側の側板５４Ｂに当接されて、バックルボデー５４が規制突起５２を介してロアカバー１２Ｂの左係合爪４４の右側への傾倒を規制することで、アッパカバー１２Ａの左側の係合凸部２２の左係合爪４４の係合突起４８に対する表側への移動が効果的に制限されて、アッパカバー１２Ａのロアカバー１２Ｂに対する表側への離脱が効果的に制限される。
【００７７】
［第２実施形態］
図６（Ａ）には、本発明の第２実施形態に係るバックル装置９０が下斜め左方から見た斜視図にて示されており、図６（Ｂ）には、バックル装置９０の下端近傍が上方から見た断面図にて示されている。
【００７８】
本実施形態に係るバックル装置９０は、上記第１実施形態と、ほぼ同様の構成であるが、以下の点で異なる。
【００７９】
図６の（Ａ）及び（Ｂ）に示す如く、本実施形態に係るバックル装置９０では、アッパカバー１２Ａの下壁に、左側の変位壁３８の左側かつ裏側において、表爪９２が形成されており、表爪９２は、裏側に突出されると共に、右面がアッパカバー１２Ａの表孔３６Ａの左面を構成している。表爪９２の裏側部分には、台形柱状の表凸部９２Ａが形成されており、表凸部９２Ａは、左側に突出されると共に、表側面が表裏方向に垂直に配置されている。
【００８０】
ロアカバー１２Ｂの規制突起５２の右部には、規制凸部５２Ｃに代えて、裏爪５２Ｅが形成されており、裏爪５２Ｅは、規制突起５２における延長部５２Ａの右端と連絡部５２Ｂの右端の表側部との右側に形成されると共に、ロアカバー１２Ｂの下壁から表側に突出されている。裏爪５２Ｅの表側部分には、台形柱状の裏凸部５２Ｆが形成されており、裏凸部５２Ｆは、右側に突出されると共に、裏側面が表裏方向に垂直に配置されている。裏凸部５２Ｆの裏側には、アッパカバー１２Ａの表爪９２の表凸部９２Ａが僅かに離間された状態で配置されており、これにより、表凸部９２Ａの裏凸部５２Ｆに対する表側への移動が制限されることで、アッパカバー１２Ａのロアカバー１２Ｂに対する表側への離脱が制限される。アッパカバー１２Ａがロアカバー１２Ｂに対し下側かつ裏側に回動されて、アッパカバー１２Ａとロアカバー１２Ｂとが組付けられる際には、アッパカバー１２Ａの左側の変位壁３８がバックルボデー５４の左側の変位板６６の変位面６６Ａに案内されて、一時的に、アッパカバー１２Ａの当該変位壁３８周囲部分が下側に変形されつつ、当該変位壁３８及び表爪９２が下側に変位されることで、裏凸部５２Ｆの下側を表凸部９２Ａが通過して、裏凸部５２Ｆの裏側に表凸部９２Ａが挿入される。
【００８１】
ここで、本実施形態でも、上記第１実施形態と同様の作用及び効果を奏することができる。
【００８２】
また、アッパカバー１２Ａにロアカバー１２Ｂに対する表側への離脱力が作用された際に、アッパカバー１２Ａの左側の係合凸部２２によってロアカバー１２Ｂの左係合爪４４が右側に傾倒される場合には、左係合爪４４によってロアカバー１２Ｂの規制突起５２の裏爪５２Ｅが右側に移動されて、裏爪５２Ｅの裏凸部５２Ｆの裏側におけるアッパカバー１２Ａの表爪９２の表凸部９２Ａの配置量が大きくなる。このため、表凸部９２Ａの裏凸部５２Ｆに対する表側への移動を効果的に制限できて、アッパカバー１２Ａのロアカバー１２Ｂに対する表側への離脱を効果的に制限できる。
【００８３】
さらに、アッパカバー１２Ａにロアカバー１２Ｂに対する表側への離脱力が作用された際に、アッパカバー１２Ａの表爪９２の表凸部９２Ａによってロアカバー１２Ｂの規制突起５２の裏爪５２Ｅが左側に傾倒される場合には、規制突起５２によってロアカバー１２Ｂの左係合爪４４が左側に移動されて、左係合爪４４の係合溝５０へのアッパカバー１２Ａの左側の係合凸部２２の係合力が大きくなる。このため、当該係合凸部２２の左係合爪４４の係合突起４８に対する表側への移動を効果的に制限できて、アッパカバー１２Ａのロアカバー１２Ｂに対する表側への離脱を効果的に制限できる。
【００８４】
なお、本実施形態では、カバー１２内にバックルスイッチ８２が設けられる。しかしながら、カバー１２内にバックルスイッチ８２が設けられなくてもよい。この場合でも、上述の如く、アッパカバー１２Ａにロアカバー１２Ｂに対する表側への離脱力が作用された際に、ロアカバー１２Ｂの裏爪５２Ｅの裏凸部５２Ｆの裏側におけるアッパカバー１２Ａの表爪９２の表凸部９２Ａの配置量が大きくなり、又は、ロアカバー１２Ｂの左係合爪４４の係合溝５０へのアッパカバー１２Ａの左側の係合凸部２２の係合力が大きくなることで、アッパカバー１２Ａのロアカバー１２Ｂに対する表側への離脱を効果的に制限できる。
【００８５】
また、上記第１実施形態及び第２実施形態では、アッパカバー１２Ａの突出部２６Ａの上面がバックルボデー５４の開放孔６２の上面に当接される。しかしながら、アッパカバー１２Ａの突出部２６Ａの上面がバックルボデー５４の開放孔６２の上面から僅かに離間されてもよい。この場合、アッパカバー１２Ａに上側への変位力が作用された際に、アッパカバー１２Ａの突出部２６Ａの上面が開放孔６２の上面に当接されて、開放孔６２の上面が突出部２６Ａの上面の上側への変位を制限する。
【００８６】
さらに、上記第１実施形態及び第２実施形態では、アッパカバー１２Ａの延伸部２６Ｃの裏側面がバックルボデー５４の変位板６６の表側面に当接される。しかしながら、アッパカバー１２Ａの延伸部２６Ｃの裏側面がバックルボデー５４の変位板６６の表側面から僅かに離間されてもよい。この場合、アッパカバー１２Ａに裏側への変位力が作用された際に、延伸部２６Ｃの裏側面が変位板６６の表側面に当接されて、変位板６６の表側面が延伸部２６Ｃの裏側面の裏側への変位を制限する。
【符号の説明】
【００８７】
１０・・・バックル装置、１２・・・カバー（挿入体）、１６・・・タングプレート（タング）、２０・・・ウェビング、２６・・・制限板（被制限部）、２６Ｃ・・・延伸部、５４・・・バックルボデー（支持体）、６０・・・支持孔（支持部）、６４・・・制限壁（制限部）、７２・・・ロックプレート（係合体）、９０・・・バックル装置
【図１】
2020099529.tif 000003
【図２】
2020099529.tif 000004
【図３】
2020099529.tif 000005
【図４】
2020099529.tif 000006
【図５】
2020099529.tif 000007
【図６】
2020099529.tif 000008